(57)【要約】【課題】防水層押えの屈曲部外面の曲率半径がドレイン本体の屈曲部内面の曲率半径よりも大きくても、防水層をそのトレイン本体の屈曲部内面に的確に密着させて防水層内側への雨水の浸透を確実に防止することができる雨水排水用のルーフドレインを提供する。【解決手段】スラブのコーナー部に据え付けられるＬ形状のドレイン本体２と、スラブからドレイン本体２の内面に渡って張られる防水層１８と、ドレイン本体２の上に防水層１８を挟んで配置されるＬ形状の防水層押え２１と、防水層押え２１をドレイン本体２に締結する締結手段とを具備し、防水層押え２１の屈曲部の外面には弾性材からなる押し部材３０が設けられ、締結手段により防水層押え２１がドレイン本体２に締結されるときの締め付け力で押し部材３０が弾性的に変形し、この変形で防水層１８がドレイン本体２の屈曲部の内面に密着するように押圧される。【選択図】    図３
2009162022.tif 000002
【特許請求の範囲】
【請求項１】
建屋のスラブのコーナー部に据え付けられ、雨水を通過させる排水口を有したＬ形状のドレイン本体と、前記スラブから前記ドレイン本体の前記排水口を除く部分の内面に渡って張られる防水層と、前記ドレイン本体の内面の上に前記防水層を挟んで配置されるＬ形状の防水層押えと、前記防水層押えを前記ドレイン本体に締め付けて固定する締結手段とを具備する雨水排水用のルーフドレインにおいて、
前記Ｌ形状の防水層押えの屈曲部の外面には弾性材からなる押し部材が設けられ、前記締結手段により前記防水層押えが前記ドレイン本体に締結されるときの締め付け力で前記押し部材が変形し、その変形で前記Ｌ形状のドレイン本体の屈曲部の内面に張られている部分の防水層がそのドレイン本体の屈曲部の内面に密着するように押圧されることを特徴とするルーフドレイン。
【発明の詳細な説明】
【技術分野】
【０００１】
この発明は、雨水を排水するために建屋の屋上やベランダ、バルコニーなどのコンクリートスラブのコーナー部に据え付けられるルーフドレインに関する。
【背景技術】
【０００２】
建屋の屋上やベランダ、バルコニーなどにおける露天のコンクリートスラブのコーナー部には、雨水排水用のいわゆる横引きタイプのルールドレインが据え付けられる。この種のルーフドレインは、例えば特開２００６−１４４３７７公報などに見られるように、断面Ｌ形状のドレイン本体と、このドレイン本体の内面に設置される防水層押えと、この防水層押えの上に配置されるストレーナとで構成されている。
ドレイン本体は、底面部と直立部とから断面Ｌ形状をなし、直立部から底面部に渡る部分に排水口が形成されている。そして底面部がスラブの床部表面に沿い、直立部がスラブの側壁表面に沿うようにスラブのコーナー部に据え付けられ、前記排水口にスラブの側壁を貫通して排水管が接続され、前記底面部に流れ込んだ雨水が前記排水口から排水管を通して所定の排水部に排出される。
【０００３】
スラブの表面にはシート状の防水層が施工される。この防水層はスラブの床部から側壁に渡るようにスラブの表面の全体に張られ、この防水層でドレイン本体の前記排水口を除く部分の内面が覆われる。すなわち、防水層には、ドレイン本体を覆う部分において、前記排水口及びその周辺部に対向する大きさの開口が形成され、この開口を通して雨水が排水口に案内される。
ドレイン本体の上にはフレーム状の防水層押えが設置され、この防水層押えがボルトを介してドレイン本体に締結されることで、防水層の前記開口の縁がドレイン本体の内面に密着するように押え付けられる。そしてこの防水層押えの上にストレーナが設置される。
【特許文献１】特開２００６−１４４３７７公報
【発明の開示】
【発明が解決しようとする課題】
【０００４】
ドレイン本体および防水層押えは、共に側面形状がＬ形状をなし、防水層はそのＬ形状に沿うようにドレイン本体の内面に敷き込まれ、この防水層の上にＬ形状の防水層押えが重ね合わされ、この防水層押えがボルトを介してドレイン本体に締結されることで防水層がドレイン本体に密着する。
【０００５】
Ｌ形状をなすドレイン本体の屈曲部内面、およびＬ形状をなす防水層押えの屈曲部外面はそれぞれ円弧状の曲面であるが、一般に、そのドレイン本体の屈曲部内面の曲率半径に対して防水層押えの屈曲部外面の曲率半径の方が大きくなっている。これは、防水層押えの屈曲部外面の曲率半径がドレイン本体の屈曲部内面の曲率半径よりも小さいと、防水層押えの屈曲部外面がドレイン本体の屈曲部内面に線接触して防水層押えの外面の全体をドレイン本体の内面に面接触させることができなくなり、また防水層押えの屈曲部外面の曲率半径が鋭角的に小さと、防水層を押圧したときにその防水層を損傷してしまう恐れがあるからである。
【０００６】
しかしながら、防水層押えの屈曲部外面の曲率半径がドレイン本体の屈曲部内面の曲率半径より大きいと、ドレイン本体の内面に防水層押えを重ね合わせたときに、その双方の屈曲部間に隙間が生じ、その部分では防水層がトレイン本体に密着せず、その防水層の内側に雨水が浸透してしまう恐れがある。
【０００７】
この発明はこのような点に着目してなされたもので、その目的とするところは、防水層押えの屈曲部外面の曲率半径がドレイン本体の屈曲部内面の曲率半径よりも大きくても、防水層をそのトレイン本体の屈曲部内面に的確に密着させて防水層内側への雨水の浸透を確実に防止することができる雨水排水用のルーフドレインを提供することにある。
【課題を解決するための手段】
【０００８】
この発明は、建屋のスラブのコーナー部に据え付けられ、雨水を通過させる排水口を有したＬ形状のドレイン本体と、前記スラブから前記ドレイン本体の前記排水口を除く部分の内面に渡って張られる防水層と、前記ドレイン本体の内面の上に前記防水層を挟んで配置されるＬ形状の防水層押えと、前記防水層押えを前記ドレイン本体に締め付けて固定する締結手段とを具備する雨水排水用のルーフドレインにおいて、前記Ｌ形状の防水層押えの屈曲部の外面には弾性材からなる押し部材が設けられ、前記締結手段により前記防水層押えが前記ドレイン本体に締結されるときの締め付け力で前記押し部材が変形し、その変形で前記Ｌ形状のドレイン本体の屈曲部の内面に張られている部分の防水層がそのドレイン本体の屈曲部の内面に密着するように押圧されることを特徴としている。
【発明の効果】
【０００９】
この発明のルーフドレインによれば、防水層押えの屈曲部外面の曲率半径がドレイン本体の屈曲部内面の曲率半径よりも大きくても、防水層押えの屈曲部外面の押し部材で防水層をドレイン本体の屈曲部内面に的確に密着させて防水層内側への雨水の浸透を防止することができる。
【発明を実施するための最良の形態】
【００１０】
以下、この発明の実施の形態について図面を参照して説明する。
【００１１】
図１には、建屋の屋上を構成するコンクリートスラブのコーナー部に据え付けられたルーフドレイン１の正面図を、図２には図１中のＡ−Ａ線に沿う断面図を、図３には同じくＢ−Ｂ線に沿う断面図をそれぞれ示してある。
【００１２】
ルーフドレイン１はドレイン本体２を有し、このドレイン本体２は底面部４と直立部５とからなるＬ形状をなし、直立部５から底面部４に渡る部分に排水口６が形成され、さらに直立部５の背面に前記排水口６に連なる円形の排水筒８が一体に突出形成されている。
【００１３】
排水口６の下側両側部には、図２に示すようにボス１１（一方のみ図示）が一体に形成され、これらボス１１にボルト１２が取り付けられている。これらボルト１２はドレイン本体２の内側からその斜め外方に向けて突出するようにボス１１に取り付けられている。
【００１４】
ドレイン本体２は、底面部４がコンクリートスラブの床部表面に沿い、直立部５がコンクリートスラブの側壁表面に沿うように据え付けられている。そしてコンクリートスラブの側壁を貫通してドレイン本体２の排水筒８に排水管１４が挿入接続され、ドレイン本体２の内側に流れ込んだ雨水がその排水管１４を通して所定の排水部に排出される。
コンクリートスラブの上には、その床部表面から側壁表面に渡るほぼ全体にシート状の防水層１８が張られ、この防水層１８の一部でドレイン本体２の内面が覆われている。この防水層１８には、図２に示すようにドレイン本体２の排水口６に対向する部分に開口１９が形成され、この開口１９の周辺部分が底面部４および直立部５に重ね合わされている。
【００１５】
ドレイン本体２の上には、図２および図３に示すように側面形状がＬ形状の防水層押え２１が設置されている。図４には防水層押え２１を反転した外観を示してある。この防水層押え２１には、ドレイン本体２の排水口６に対向する開口２２が形成されている。この開口２２の両側部にはボス２３が一体に形成され、これらボス２３に前記ボルト１２が貫挿され、これらボルト１２にナット２４が螺着され、これらナット２４で防水層押え２１が締め付けられ、この締め付けで防水層１８の開口１９の周辺部がドレイン本体２に密着するように押え付けられている。
【００１６】
防水層押え２１の上には、雨水中の枯草や小枝などの異物を捕捉するためのストレーナ２６が設置されている。このストレーナ２６は図１および図２に示すねじ２７により防水層押え２１に脱着可能に取り付けられている。
【００１７】
図５には防水層押え２１をドレイン本体２に取り付ける前の状態を示してあり、Ｌ形状をなすドレイン本体２の屈曲部の内面２ａ、およびＬ形状をなす防水層押え２１の屈曲部の外面２１ｂはそれぞれ円弧状の曲面となっており、防水層押え２１の屈曲部外面２１ｂの曲率半径がドレイン本体２の屈曲部内面２ｂの曲率半径よりも大きくなっている。
そしてこの防水層押え２１の屈曲部の外面２１ｂにゴムなどの弾性材からなる押し部材３０が貼り付けられている。この押し部材３０は図４に示すように例えば蒲鉾状をなし、防水層押え２１の幅方向に沿う屈曲部のほぼ全長区間に渡って延びるように取り付けられている。
【００１８】
防水層押え２１がドレイン本体２に取り付けられる前の図５の状態では押し部材３０が自由状態にあり、この状態から防水層押え２１が図２に示すナット２４でドレイン本体２に締め付けられることにより、前記押し部材３０がその締め付け力で弾性的に変形し、この弾性変形で図２および図３に示すように防水層１８がドレイン本体２の屈曲部内面に押圧され、これにより防水層１８がドレイン本体２の屈曲部内面に密着し、防水層１８とドレイン本体２の屈曲部内面との間に隙間が生じることがなく、したがって防水層１８の内側への雨水の浸透を確実に防止することができる。  
また、ドレイン本体２の屈曲部内面に防水層１８を弾性材からなる押し部材３０で押圧して密着させるため、防水層１８が損傷するような恐れもない。
【００１９】
押し部材３０は、防水層押え２１に予め取り付けておいてもよいが、防水層押え２１をドレイン本体２に取り付ける施工の際に、その施工現場で防水層押え２１の屈曲部外面に貼り付けて固定するようにしてもよい。この場合、押し部材３０に剥離紙付きの接着層を設けておき、施工現場でその剥離紙を剥し取って接着層を露出させ、その接着層で押し部材３０を防水層押え２１の屈曲部外面に接着して取り付けるような方法を採用することが可能である。
【図面の簡単な説明】
【００２０】
【図１】この発明の一実施形態に係るルーフドレインを示す正面図。
【図２】図１中のＡ−Ａ線に沿う断面図。
【図３】図２中のＢ−Ｂ線に沿う断面図。
【図４】ルーフドレインの防水層押えを反転して示す斜視図。
【図５】ルーフドレインの防水層押えをドレイン本体に取り付ける前の状態を示す断面図。
【符号の説明】
【００２１】
１…ルーフドレイン
２…ドレイン本体
４…底面部
５…直立部
６…排水口
８…排水筒
１１…ボス
１２…ボルト
１４…排水管
１８…防水層
１９…開口
２１…防水層押え
２２…開口
２３…ボス
２４…ナット
２６…ストレーナ
３０…押し部材
【図１】
2009162022.tif 000003
【図２】
2009162022.tif 000004
【図３】
2009162022.tif 000005
【図４】
2009162022.tif 000006
【図５】
2009162022.tif 000007